(57)【要約】【課題】ノズルヘッダーおよび集砂用ノズルの設置数の削減効果ならびに設置コストおよび保守コストの節減効果が得られる集砂装置を提供する。【解決手段】沈砂池の底面を沈砂池内水流方向に分割して複数の領域を形成するとともに各領域にノズルヘッダーを設け、給水ポンプから供給される低圧力水を各領域のノズルヘッダーのノズルから領域ごとに順次噴射させて前記沈砂池の底面に堆積している土砂をトラフに洗い流し、そのトラフからさらに集砂ピットまで流す集砂装置において、集砂ピット傾斜面に隣接する領域のノズルヘッダーの端部の少なくとも１個のノズルを前記集砂ピット傾斜面に臨ませた。【選択図】図６
2019181390.tif 000002
【特許請求の範囲】
【請求項１】
沈砂池の底面を沈砂池内水流方向に分割して複数の領域を形成するとともに各領域にノズルヘッダーを設け、給水ポンプから供給される低圧力水を各領域のノズルヘッダーのノズルから領域ごとに順次噴射させて前記沈砂池の底面に堆積している土砂をトラフに洗い流し、そのトラフからさらに集砂ピットまで流す集砂装置において、
集砂ピット傾斜面に隣接する領域のノズルヘッダーの端部の少なくとも１個のノズルを前記集砂ピット傾斜面に臨ませたことを特徴とする集砂装置。
【請求項２】
請求項１記載の集砂装置において、
前記集砂ピット傾斜面の下流側において前記集砂ピット傾斜面に隣接する領域のノズルヘッダーの上流側端部の少なくとも１個のノズルを前記集砂ピット傾斜面に臨ませたことを特徴とする集砂装置。
【請求項３】
請求項１記載の集砂装置において、
前記集砂ピット傾斜面の上流側において前記集砂ピット傾斜面に隣接する領域のノズルヘッダーの下流側端部の少なくとも１個のノズルを前記集砂ピット傾斜面に臨ませたことを特徴とする集砂装置。
【請求項４】
請求項１記載の集砂装置において、
前記集砂ピット傾斜面の上流側と下流側の両側において前記集砂ピット傾斜面に隣接する領域のノズルヘッダーのそれぞれの端部の少なくとも１個のノズルを前記集砂ピット傾斜面に臨ませたことを特徴とする集砂装置。
【発明の詳細な説明】
【技術分野】
【０００１】
本発明は、下水処理設備の沈砂池に沈殿した土砂を低圧集砂方法により沈砂池に設けた集砂ピットに集める集砂装置に関する。
【背景技術】
【０００２】
沈砂池に沈殿した土砂を揚砂ポンプにより水と共に汲み上げて汚水沈砂池に移送する初期の除砂装置は、高圧集砂方式の除砂装置であり、沈砂池の側壁に沿って設けた多数のノズルから３ｋｇ／ｃｍ２を超える高圧力水を噴射して沈砂池の底面に堆積した土砂を攪乱し、ポンプピットに設けた揚砂ポンプにより水と共に汲み上げるものであった。
【０００３】
高圧力方式の除砂装置は高圧ポンプを用いるので、設備コストおよび運転コストが高く、除砂能率が低い、悪臭が発生して近隣に迷惑がかかるなどの問題があったため、これに代わり、低圧力水を用いる低圧集砂方式の集砂装置が、特許文献１に開示された。この低圧集砂方式の集砂装置は、沈砂池内の水を排出した状態（排水状態)で沈砂池の側壁に沿って設けた多数のノズルから３ｋｇ／ｃｍ2未満の低圧力水を吐出して沈砂池の底面に堆積した土砂をトラフに洗い流し、そのトラフを経て沈砂池の底部に設けた集砂ピットに集めるものである。集砂ピットに集められた土砂は、集砂ピットに設置した揚砂ポンプにより水と共に汲み上げて汚水沈砂池に移送される。
【０００４】
沈砂池の側壁に沿って設けたノズルに水を供給する給水ポンプと集砂ピットから土砂を汲み上げる揚砂ポンプの負荷を軽減して、給水ポンプと揚砂ポンプに小型ポンプの使用を可能にするため、沈砂池の底面を集砂ピットおよび集砂ピットと側壁の間の傾斜面（集砂ピット傾斜面）以外の部分において沈砂池内水流方向に等分して面積が等しい複数の領域を形成し、各領域に母管に多数のノズルを所定の間隔をもって取付けてなるノズルヘッダーを沈砂池の側壁に沿って設置し、給水ポンプからの水を集砂弁の制御を介して各ノズルヘッダーに順次所定時間ずつ供給するようになった(特許文献２)。
【０００５】
この集砂装置においては、ノズルヘッダーの製造コストおよび取付コストの低減化のため、等数のノズルを有する等長のノズルヘッダーが、いずれも等面積の領域に設置されている。(特許文献２の図１１)
【０００６】
給水ポンプには、吐出量が２ｍ3／分のものが使用されている。そして、吐出量が０．１５ｍ3／分のノズルを用いる場合は、一つのノズルヘッダーに取付け可能なノズル数は、最大１３個である。しかし、ノズルヘッダーに取付けた全てのノズルから均等に水を吐出させるためには、ノズルの数が偶数でなければならないので、取付け可能な最大数は１２である。一方、沈砂池の底面への上記吐出量のノズルの土砂排除効率を高めるためには、ノズルヘッダーのノズルの取付間隔は４００〜５００ｍｍが適当である。従って、ノズルヘッダーの全長は最大で６ｍとなる。
【０００７】
たとえば、図９に示すように、全長が１８０００ｍｍの沈砂池の底面を複数の等面積の領域に区分し、各領域に６ｍ以内の可及的に長いノズルヘッダーを設置する場合は、沈砂池１の両側の側壁Ｗａ，Ｗｂから沈砂池１の底部中央に設けられている集砂ピット傾斜面３の幅寸法を１２００ｍｍとすると、集砂ピット傾斜面３の上流側及び下流側の残長はそれぞれ８４００ｍｍであるから、従来は、沈砂池の底面全体では、集砂ピット傾斜面３の上流側及び下流側の両側においてそれぞれ２個ずつ、合計８個の等面積の領域Ｂ１〜Ｂ８を形成し、１領域の長さを４２００ｍｍとしていた。
【０００８】
したがって、一つの領域に設置可能なノズルヘッダーＮＨの長さは最大で４２００ｍｍで、そのノズルヘッダーの最大ノズル数が８個となる。つまり、従来は、全長１８ｍの沈砂池は８領域に区分され、長さ４２００ｍｍ、ノズル数８個のノズルヘッダーを８個(ＮＨ１〜ＮＨ８)設置していた。
【先行技術文献】
【特許文献】
【０００９】
【特許文献１】特許第３３１５４８９号公報
【特許文献２】特開２０１１‐２４５３８８号公報
【発明の概要】
【発明が解決しようとする課題】
【００１０】
上記のように、先行技術における沈砂池では、その底面を集砂ピット傾斜面３の両側において全て等面積の複数の領域を形成していたので、ノズルヘッダーの設置数、従って、集砂弁の使用数も多くなるため、設備コストおよび保守コストが高くつくという問題があった。
【００１１】
また、高圧集砂方式の集砂装置においては、ポンプピットが沈砂池内水流方向の中央に設けられることは殆どなく、中央よりも下流側などに設けられることが普通であった。しかし、多数のノズルから３ｋｇ／ｃｍ２未満の低圧力水を吐出して沈砂池の底面に堆積した土砂を洗い流す低圧集砂方式の集砂装置においては、集砂能率を高めるため、全ての領域が等長・等面積であることが望まれたので、既設の高圧集砂方式の集砂装置を低圧集砂方式の集砂装置に切り換える場合には、沈砂池の底面に傾斜面を形成するとともに、ポンプピットを埋没させ、沈砂池内水流方向の中央に集砂ピットを新たに造る工事が必要となるという厄介な問題がある。
【００１２】
また、低圧集砂方式の集砂装置においては、集砂開始当初は多量の土砂が集砂ピット傾斜面に集まりやすいので、集砂ピット傾斜面から土砂を集砂ピットに洗い流すために、ノズルヘッダーとは異なる個別のノズル（集砂ノズル）を設置することが必要であった。さらに、トラフの上端部には各領域からトラフに流れ込む土砂を集砂ピット方向に流すための個別のノズル（集砂ノズル）、および集砂ピットに集められた土砂を攪拌して揚砂ポンプに吸入されやすくするための個別のノズル（攪拌ノズル）が設置される。
したがって、沈砂池全体のノズルヘッダーおよび個別のノズルの設置数が多くなり、それぞれに対応する集砂弁が設けられるので、設置コストおよび保守コストの節減効果は限定的であった。
【００１３】
上記の点に鑑み、特許文献２の図１１に、沈砂池の底面の長手方向中央に集砂ピットおよび集砂ピット傾斜面を設け、その沈砂池の底面を集砂ピット傾斜面を含めて沈砂池の長さ方向に等分割して複数の等面積の領域を形成するとともに、各領域に等長のノズルヘッダーを設置し、一つのノズルヘッダーは集砂ピット傾斜面を跨いで設置するようにした集砂装置が開示された。
この集砂装置においては、集砂ピット傾斜面の個別のノズル（集砂ノズル）の設置を不要にすることができるという特長を有する。
【００１４】
しかし、この集砂装置は、ポンプピットが沈砂池の底面の長手方向中央以外の位置に設置されている高圧集砂方式の集砂装置を低圧集砂方式の集砂装置に切り換える場合には、多額の改造コストがかかる、ポンプピットの上流側と下流側に等面積の領域がない場合には適用できない、などの問題がある。
【００１５】
本発明は、上記事情に鑑みてなされたものであり、ノズルヘッダーおよび集砂用ノズルの設置数の削減効果ならびに設置コストおよび保守コストの節減効果が得られる集砂装置を提供することを目的とする。
本発明は、また、高圧集砂方式の集砂装置のポンプピットの設置位置が沈砂池内水流方向のどこにあっても(沈砂池の底面が集砂ピット傾斜面の上流側と下流側において等しくない場合にも)、最小限の改造費用で低圧集砂方式の集砂装置に変更可能にすることを目的とする。
【課題を解決するための手段】
【００１６】
本発明は、上記目的を達成するため、沈砂池の底面を沈砂池内水流方向に分割して複数の領域を形成するとともに各領域にノズルヘッダーを設け、給水ポンプから供給される低圧力水を各領域のノズルヘッダーのノズルから領域ごとに順次噴射させて沈砂池の底面に堆積している土砂をトラフに洗い流し、そのトラフからさらに集砂ピットまで流す集砂装置において、集砂ピット傾斜面に隣接する領域のノズルヘッダーの端部の少なくとも１個のノズルを集砂ピット傾斜面に臨ませたことを特徴とする。
【００１７】
集砂ピット傾斜面の下流側において集砂ピット傾斜面に隣接する領域のノズルヘッダーの上流側端部の少なくとも１個のノズルを集砂ピット傾斜面に臨ませることができる。
また、集砂ピット傾斜面の上流側において集砂ピット傾斜面に隣接する領域のノズルヘッダーの下流側端部の少なくとも１個のノズルを集砂ピット傾斜面に臨ませることができる。
さらに、集砂ピット傾斜面の上流側と下流側の両側において集砂ピット傾斜面に隣接する領域のノズルヘッダーのそれぞれの端部の少なくとも１個のノズルを集砂ピット傾斜面に臨ませることができる。
【発明の効果】
【００１８】
本発明によれば、集砂ピット傾斜面に隣接する領域のノズルヘッダーの端部の少なくとも１個のノズルを集砂ピット傾斜面に臨ませたので、集砂ピット傾斜面に個別の集砂ノズルを設けなくても、集砂ピット傾斜面に堆積した土砂を除去することができる。したがって、設置コストおよび保守コストの削減が可能である。
また、全ての領域およびノズルヘッダーは必ずしも等長でなくてもよく、集砂ピットの設置位置の制約を受けずに設置可能であるから、既設の高圧集砂方式の集砂装置を低圧集砂方式の集砂装置に切り換える場合に、集砂ピットの新設工事が不要である。
【図面の簡単な説明】
【００１９】
【図１】沈砂池を含む雨水処理設備の縦断面図である。
【図２】図１のＸ−Ｘの範囲の天井壁を省略し、ノズルヘッダーの一部を切除して示す平面図である。
【図３】図２のＹ−Ｙ線断面図である。
【図４】図２のＺ−Ｚの範囲の一部を省略した詳細平面図である。
【図５】図４のＺ１−Ｚ１線断面図である。
【図６】図４のＺ２−Ｚ２線断面図である。
【図７】集砂ピット傾斜面に対するノズルヘッダーの位置関係の一例を示す平面図である。
【図８】集砂ピット傾斜面に対するノズルヘッダーの位置関係の他の例を示す平面図である。
【図９】集砂ピット傾斜面に対するノズルヘッダーの位置関係のさらに他の例を示す平面図である。
【図１０】従来の沈砂池の領域の分布とノズルヘッダーの設置状態の一例を示す平面図である。
【図１１】従来の沈砂池の領域の分布とノズルヘッダーの設置状態の他例を示す平面図である。
【発明を実施するための形態】
【００２０】
続いて、本発明の実施の形態について図面を参照しながら説明する。
図１において、１は下水処理設備であり、側壁Ｗａ，Ｗｂ(図２参照)の間に形成された沈砂池２とポンプ井３とを有する。沈砂池２は図外の下水管から雨水や汚水等の下水が集められる流入渠４に接続されている。流入渠４の下流側端部には、流入渠４から沈砂池２への下水の流入の許容又は阻止を行なうためのダム装置５が設置され、そのダム装置５の下流側で、沈砂池２の上流側端部の直前に夾雑物捕捉用スクリーン６が設置されている。
【００２１】
低圧集砂を行うために、沈砂池２の底面２ａの沈砂池内水流方向の任意の位置に集砂ピット７が形成されているとともに、沈砂池の底面２ａの幅方向中央には沈砂池の上流側端部および下流側端部から集砂ピット７まで下り傾斜する主トラフ(本発明に言うトラフに相当する。)８ａが形成されている。沈砂池の底面２ａは側壁Ｗａ，Ｗｂの下端部から主トラフ８ａに向けて下り傾斜されている。さらに、沈砂池の底面に側壁Ｗａ，Ｗｂの近傍から主トラフ８ａまで沈砂池内水流方向に直角な方向に平行に延びる多数の小トラフ８ｂが形成されている。そして、側壁Ｗａ，Ｗｂの下端部から集砂ピット７まで下り傾斜する集砂ピット傾斜面８ｃが形成されている。
【００２２】
ポンプ井３には、排水ポンプＰ１と、滞留水ポンプを兼ねる給水ポンプＰ２とが設置され、集砂ピット７内に揚砂ポンプＰ３が設置されている。図１のＦは、沈砂池２の下流側端部に設置されているろ過機である。
【００２３】
沈砂池２の底面２ａには、主トラフ８ａの両側のそれぞれにおいて底面２ａを沈砂池内水流方向に分割して、複数の、沈砂池全体では偶数の領域が形成されている。図２および図７の例では沈砂池内水流方向に３分割され、沈砂池全体では６個の領域Ｂ１〜Ｂ６が形成されている。しかし、沈砂池２の規模、または幅によっては、主トラフ８ａが一方の側壁に寄った位置に形成される場合もある。その場合は、沈砂池全体の領域は奇数になることもある。
【００２４】
主トラフ８ａの上端部には集砂ノズル９ａが設置され、集砂ピット７には主トラフ８ａを経て集められた土砂を撹拌するためのノズル９ｂ（９ｂ１，９ｂ２の総括符号）が設置されている。また、各領域Ｂ１〜Ｂ６の側壁Ｗａ，Ｗｂの近傍に、ノズルヘッダーＮＨ１〜ＮＨ６が設置されている。ノズルヘッダーＮＨ１〜ＮＨ６は、図示を省略されているが、分岐管を有する母管に吐出量が０．１５ｍ3／分のノズル９ｃが複数個、４００〜５００ｍｍの等間隔に取り付けて構成されている。
【００２５】
従来の低圧集砂方式の集砂装置においては、集砂ピット７の設置位置は沈砂池内水流方向の中央であったが、本発明においては、集砂ピット７の設置位置は沈砂池内水流方向の任意の位置である。既設の高圧集砂方式の集砂装置を低圧集砂方式に変更する場合は、揚砂ポンプが設置されていたポンプピットを集砂ピット７として利用することができるので、集砂ピット７および集砂ピット傾斜面８ｃの設置位置は、図７および図８に示すように沈砂池内水流方向の中央でないことが多いし、図９に示すようにほぼ中央の場合もある。  
【００２６】
本発明の実施の形態は、集砂ピット７および集砂ピット傾斜面８ｃに隣接する領域に設置されるノズルヘッダーの一端部に設けてあるノズルを集砂ピット傾斜面８ｃに臨ませている点に特徴がある。このようなノズルヘッダーの設置態様には、図７〜図９に例示するものがあり得る。
【００２７】
図７に示す例は、集砂ピット７および集砂ピット傾斜面８ｃにその下流側において隣接する領域Ｂ５、Ｂ６に設置されるノズルヘッダーＮＨ５,ＮＨ６の一端部である左側端部に設けてある少なくとも１個のノズルを、集砂ピット傾斜面８ｃに臨ませた例である。
【００２８】
図７の沈砂池の領域Ｂ１〜Ｂ６は等面積であるが、領域Ｂ１，Ｂ２と領域Ｂ５，Ｂ６の間に集砂ピット７および集砂ピット傾斜面８ｃが設けられている。すなわち、図７の例では、ノズルヘッダーＮＨ１〜ＮＨ４およびノズルヘッダーＮＨ５,ＮＨ６はそれぞれ等長であるが、ノズルヘッダーＮＨ５,ＮＨ６はノズルヘッダーＮＨ１〜ＮＨ４よりも若干長い。
【００２９】
このように、ノズルヘッダーを、その一端部のノズルを集砂ピット傾斜面８ｃに臨ませて取付ける場合は、そのノズルヘッダーが設置されている領域、図７の場合は領域Ｂ５，Ｂ６から集砂を開始する。すなわち、ノズルヘッダーＮＨ５,ＮＨ６から噴射を開始する。
【００３０】
沈砂池２の底面の土砂堆積量が特に多い場合は、集砂開始当初に比較的多量の土砂が集砂ピット傾斜面８ｃに流れ込むことがあるが、ノズルヘッダーＮＨ５,ＮＨ６の一端部のノズルが集砂ピット傾斜面８ｃに臨んでいるので、集砂ピット傾斜面８ｃの土砂の集砂ピット７への流入が促進される。したがって、集砂ピット傾斜面８ｃに個別の集砂ノズルを設けることを省くことができる。
【００３１】
図８に示す例は、集砂ピット７および集砂ピット傾斜面８ｃの沈砂池における設置位置が図３の場合とほぼ同様であるが、集砂ピット７の上流側に隣接する領域Ｂ１，Ｂ２に設置されるノズルヘッダーＮＨ１,ＮＨ２の一端部に設けてある少なくとも１個のノズルを、集砂ピット傾斜面８ｃに臨ませた例である。
【００３２】
この例においては、図７の場合と同様に、ノズルを集砂ピット傾斜面８ｃに臨ませてあるノズルヘッダーＮＨ１,ＮＨ２が設けられている領域Ｂ１，Ｂ２から集砂が開始される。その後は、領域Ｂ３,Ｂ４と領域Ｂ５，Ｂ６から順次集砂されるが、いずれを先にするかは任意である。
【００３３】
図８に示す例においても、集砂ピット傾斜面８ｃに個別の集砂ノズルを設けなくても、集砂ピット傾斜面８ｃの土砂を集砂ピット７へ流入させることができる。
【００３４】
図９に示す例は、集砂ピット７および集砂ピット傾斜面８ｃが沈砂池のほぼ中央に存在する場合に適用される実施の形態であり、集砂ピット７および集砂ピット傾斜面８ｃの両側に隣接する領域Ｂ１，Ｂ２、Ｂ５，Ｂ６に設置されるノズルヘッダーＮＨ１,ＮＨ２、ＮＨ５,ＮＨ６のそれぞれの一端部に設けてある少なくとも１個のノズルを、集砂ピット傾斜面８ｃに臨ませた例である。
【００３５】
図９に示す例においても、集砂ピット傾斜面８ｃに個別の集砂ノズルを設けなくても、集砂ピット傾斜面８ｃの土砂を集砂ピット７へ円滑に流入させることができる。
【００３６】
図３に例示するように、ポンプ井３の給水ポンプＰ２からの水を前記各ノズル９ａ，９ｂ，９ｃに供給したり、その供給を止めたりするための集砂弁群ＶＧ１，ＶＧ２、すなわち、トラフ用集砂弁Ｖａ１，Ｖａ２，Ｖａ３と、各ノズルヘッダー用集砂弁Ｖｂ１〜Ｖｂ６と、土砂撹拌ノズル用集砂弁Ｖｃとが備えられている。図７に例示するように、沈砂池の底面が６領域(Ｂ１〜Ｂ６)に区分されている場合は、ノズルヘッダー用集砂弁Ｖｂが６個（Ｖｂ１〜Ｖｂ６）用いられる。各集砂弁は、従来の集砂弁と同様に、流量調整弁と切換弁を直結してなっている。
【００３７】
集砂弁群ＶＧ１，ＶＧ２、すなわち、トラフ用集砂弁Ｖａ１，Ｖａ２，Ｖａ３と、各ノズルヘッダー用集砂弁Ｖｂ１〜Ｖｂ６、土砂撹拌ノズル用集砂弁Ｖｃは、集砂装置の図示されていない制御装置の集砂弁制御回路により所定の順序で開動作又は閉動作を駆動されるように構成されている。
【００３８】
制御装置による各集砂弁の制御内容は、特許文献２，３に記載されているものと同様であるので、その記載をここに引用して、詳細な説明を割愛する。
【００３９】
上述したように、集砂ピット傾斜面８ｃには集砂ノズルが設けられないが、トラフ８ａおよび集砂ピット傾斜面８ｃから集砂ピット７内に流入する土砂の揚砂ポンプＰ３による吸引排除能率を向上させるため、攪拌ノズル９ｂ１，９ｂ２が図４,５に示すように取付けられている。一方の攪拌ノズル９ｂ１は２個が揚砂ポンプＰ３の互いに反対側に、それぞれの噴射水が揚砂ポンプＰ３の吸い込み口の右側の至近位置を通過するように設けられ、他方の攪拌ノズル９ｂ２は２個が揚砂ポンプＰ３の互いに反対側に、かつ揚砂ポンプＰ３を中心とする円上で攪拌ノズル９ｂ１からの時計方向に離れた位置に、それぞれの攪拌ノズル９ｂ１の噴射水が揚砂ポンプＰ３の吸い込まれる直前の位置に向けて噴射されるように設けられている。
【００４０】
このような攪拌ノズル９ｂ１，９ｂ２の配置によって攪拌ノズル９ｂ１，９ｂ２からの噴射により、集砂ピットに流入した土砂が揚砂ポンプＰ３の吸い込み口の周囲で図４においては反時計方向の渦流を発生しながら、揚砂ポンプＰ３に吸い込まれる。
【００４１】
また、攪拌ノズル９ｂ１，９ｂ２は、図５,６に示すように、それぞれの噴射口が揚砂ポンプＰ３の吸い込み口１０よりも所要距離ｈ１,ｈ２だけ高い位置に設けられている。ノズル噴射口が揚砂ポンプＰ３の吸い込み口よりも高い位置に設けられていることにより、攪拌ノズル９ｂ１，９ｂ２から気泡が噴出されても、その気泡が揚砂ポンプＰ３の吸い込み口から吸い込まれる量を減らすことができるので、揚砂ポンプＰ３が空気たまりにより通水不能を生じるエアロックを防止することができる。つまり、除砂効率が向上する。このような攪拌ノズル９ｂ１，９ｂ２の配置態様による除砂効率の向上は、集砂ピット傾斜面８ｃに集砂ノズルが設けられず、ノズルヘッダーの端部のノズルからの噴射水のみでは集砂ピット傾斜面８ｃから集砂ピット７への土砂の流入に勢いがない場合に、とくに有効である。
【符号の説明】
【００４２】
２    沈砂池
２ａ  沈砂池の底面
３    ポンプ井
Ｐ１  給水ポンプ
７    集砂ピット
Ｐ３  揚砂ポンプ
８ａ  トラフ
８ｃ  集砂ピット傾斜面
９ａ，９ｂ  集砂ノズル
Ｂ１〜Ｂ６  領域
ＮＨ１〜ＮＨ６  ノズルヘッダー
９ｃ  ノズルヘッダーのノズル
【図１】
2019181390.tif 000003
【図２】
2019181390.tif 000004
【図３】
2019181390.tif 000005
【図４】
2019181390.tif 000006
【図５】
2019181390.tif 000007
【図６】
2019181390.tif 000008
【図７】
2019181390.tif 000009
【図８】
2019181390.tif 000010
【図９】
2019181390.tif 000011
【図１０】
2019181390.tif 000012
【図１１】
2019181390.tif 000013